(57)【要約】      （修正有）【課題】係脱操作を片手のみでワンタッチで簡単容易に行うことができるブレスレット等の留め具の提供。【解決手段】ブレスレット１等の巻回体５の一端部に取り付けられる雄型係合具２０と前記巻回体５の他端部に取り付けられる雌型係合具３０とからなり、雄型係合具は、基板部２１と、頭部に雄型係止部２５ａを有する茸形柱状片２５とを有し、雌型係合具は、開口３１ａ、３１ｂ、３１ｃが形成されたケース体３１と、該ケース体内に配在されて手指で左右方向に押動操作される左芯片３５及び右芯片３６とを有し、左芯片及び右芯片は、雄型係止部２５ａに係止されるように底面開口３１ｃに臨出せしめられた雌型係止部３５Ｂ、３６Ｂ、及び、外部に臨出せしめられた押圧操作部３５Ａ、３６Ａを有し、雌型係止部と押圧操作部との間、及び、雌型係止部３６Ｂと押圧操作部３５Ａとの間に両者を左右方向に付勢する圧縮コイルばね４０、４０が介装される。【選択図】  図９
2007075272.tif 000002
【特許請求の範囲】
【請求項１】
ブレスレット等の巻回体の一端部に取り付けられる雄型係合具と、前記巻回体の他端部に取り付けられる雌型係合具と、からなり、前記雄型係合具は、基板部と、該基板部に垂設された、頭部に雄型係止部を有する茸形柱状片と、を有し、前記雌型係合具は、前記雄型係合具の基板部に対接せしめられ、左右の側面部及び底面部にそれぞれ所定形状の開口が形成されたケース体と、該ケース体内に配在されて手指で左右方向に押動操作される左芯片及び右芯片と、を有し、前記左芯片及び右芯片は、それぞれ前記茸形柱状片の雄型係止部に係止されるように前記ケース体の底面開口に臨出せしめられた雌型係止部、及び、該雌型係止部に連設されて前記ケース体の側面開口から外部に臨出せしめられた押圧操作部を有し、前記左芯片の雌型係止部と前記右芯片の押圧操作部との間、及び、前記右芯片の雌型係止部と前記左芯片の押圧操作部との間、にそれぞれ両者を左右方向に付勢する付勢部材が介装されていることを特徴とするブレスレット等の留め具。
【請求項２】
前記雄型係合具と雌型係合具との係合連結時に、前記左芯片の押圧操作部は前記茸形柱状片の左側に配在されるが、前記左芯片の雌型係止部は前記茸形柱状片の右側に配在され、前記右芯片の押圧操作部は前記茸形柱状片の右側に配在されるが、前記右芯片の雌型係止部は前記茸形柱状片の左側に配在されることを特徴とする請求項１に記載のブレスレット等の留め具。
【請求項３】
前記左芯片及び右芯片の押圧操作部に前記茸形柱状片の雄型係止部下方の胴部を挟圧し得るようにそれぞれＬ形片部が連設され、前記左芯片におけるＬ形片部の底辺部に前記雄型係止部の右側部分に係止される雌型係止部が形成され、前記右芯片におけるＬ形片部の底辺部に前記雄型係止部の左側部分に係止される雌型係止部が形成されていることを特徴とする請求項１又は２に記載のブレスレット等の留め具。
【請求項４】
前記付勢部材は、圧縮コイルばねで構成されていることを特徴とする請求項１から３のいずれかに記載のブレスレット等の留め具。
【請求項５】
前記雄型係合具の基板部の基端側に、前記雌型係合具のケース体の先端部が対接せしめられる前後方向位置決め用の上方膨出部が突設され、前記ケース体の基端側に、前記基板部の先端部が対接せしめられる前後方向位置決め用の下方膨出部が突設されていることを特徴とする請求項１から４のいずれかに記載のブレスレット等の留め具。
【請求項６】
前記雄型係合具の基板部に、前記雌型係合具のケース体に形成されている底面開口に嵌入される左右方向位置決め用の凸部が突設されていることを特徴とする請求項１から５のいずれかに記載のブレスレット等の留め具。
【請求項７】
前記左芯片及び右芯片における雌型係止部の下面側に、前記雄型係止部の上面によって左右方向に押し開かれやすくなるように、ハ字状に面取りが施されていることを特徴とする請求項１から６のいずれかに記載のブレスレット等の留め具。
【発明の詳細な説明】
【技術分野】
【０００１】
本発明は、ブレスレット、アームレット、ネックレス、腕時計のバンド等（以下、ブレスレット等と称す）の巻回体（ブレスレット等の本体部分となるチェーン状装飾体等で構成されている部分）の連結部に用いられる留め具に係り、特に、係脱操作を片手のみでワンタッチで簡単容易に行うことができるようにされたブレスレット等の留め具に関する。
【背景技術】
【０００２】
ブレスレット等の留め具としては、下記特許文献１等にも見られるように、前記巻回体の一端部に取り付けられたヒンジ状係合具の片側を、前記巻回体の他端部に取り付けられた枠状係合具にくぐらせた後折り返す中折れ式、リング部を備えた引輪式、差込み式、フィッシュフック式等のものが知られている。
【０００３】
【特許文献１】実用新案登録３０３４４３５号公報
【発明の開示】
【発明が解決しようとする課題】
【０００４】
しかしながら、前記した従来のブレスレット等の留め具では、次のような課題があった。すなわち、従来の留め具では、係合連結する際、及び、係合解除（脱着）する際、いずれも２タッチ以上の操作が必要であり、係脱操作が面倒であった。つまり、例えば、一方の係合具を固定した状態で他方の係合具を位置決めして仮止めを行い、しかる後、本止めを行う必要があった。また、係合連結する際には、一方の係合具を固定しておかなければならないので、片手のみで係合連結操作を行う必要のあるブレスレット等の留め具では、かかる操作に難渋することが多かった。
【０００５】
本発明は、前記した如くの問題に鑑みてなされたもので、その目的とするところは、係脱操作を片手のみでワンタッチで簡単容易に行うことができるようにされたブレスレット等の留め具を提供することにある。
【課題を解決するための手段】
【０００６】
前記の目的を達成すべく、本発明に係るブレスレット等の留め具は、基本的には、ブレスレット等の巻回体の一端部に取り付けられる雄型係合具と、前記巻回体の他端部に取り付けられる雌型係合具と、からなり、前記雄型係合具は、基板部と、該基板部に垂設された、頭部に雄型係止部を有する茸形柱状片と、を有し、前記雌型係合具は、前記雄型係合具の基板部に対接せしめられ、左右の側面部及び底面部にそれぞれ所定形状の開口が形成されたケース体と、該ケース体内に配在されて手指で左右方向に押動操作される左芯片及び右芯片と、を有する。
【０００７】
そして、前記左芯片及び右芯片は、それぞれ前記茸形柱状片の雄型係止部に係止されるように前記ケース体の底面開口に臨出せしめられた雌型係止部、及び、該雌型係止部に連設されて前記ケース体の側面開口から外部に臨出せしめられた押圧操作部を有し、前記左芯片の雌型係止部と前記右芯片の押圧操作部との間、及び、前記右芯片の雌型係止部と前記左芯片の押圧操作部との間、にそれぞれ両者を左右方向に付勢する付勢部材が介装されていることを特徴としている。
【０００８】
好ましい態様では、前記雄型係合具と雌型係合具との係合連結時に、前記左芯片の押圧操作部は前記茸形柱状片の左側に配在されるが、前記左芯片の雌型係止部は前記茸形柱状片の右側に配在され、前記右芯片の押圧操作部は前記茸形柱状片の右側に配在されるが、前記右芯片の雌型係止部は前記茸形柱状片の左側に配在される。
【０００９】
より具体的な好ましい態様では、前記左芯片及び右芯片の押圧操作部に前記茸形柱状片の雄型係止部下方の胴部を挟圧し得るようにそれぞれＬ形片部が連設され、前記左芯片におけるＬ形片部の底辺部に前記雄型係止部の右側部分に係止される雌型係止部が形成され、前記右芯片におけるＬ形片部の底辺部に前記雄型係止部の左側部分に係止される雌型係止部が形成される。
【００１０】
前記付勢部材は、好ましくは、圧縮コイルばねで構成される。
他の好ましい態様では、前記雄型係合具の基板部の基端側に、前記雌型係合具のケース体の先端部が対接せしめられる前後方向位置決め用の上方膨出部が突設され、前記ケース体の基端側に、前記基板部の先端部が対接せしめられる前後方向位置決め用の下方膨出部が突設される。
【００１１】
別の好ましい態様では、前記雄型係合具の基板部に、前記雌型係合具のケース体に形成されている底面開口に嵌入される左右方向位置決め用の凸部が突設される。
【００１２】
他の別の好ましい態様では、前記左芯片及び右芯片における雌型係止部の下面側に、前記雄型係止部の上面によって左右方向に押し開かれやすくなるように、ハ字状に面取りが施される。
【発明の効果】
【００１３】
本発明に係るブレスレット等の留め具の好ましい態様では、留め具を係合連結する際には、例えば、ブレスレットの巻回体（本体部分）を片方の手の手首部分に回し掛ける。この際、他方の手の指で雌型係合具の左芯片及び右芯片の押圧操作部をつまみ、雄型係合具を手首側（下側）に位置させ、雌型係合具を雄型係合具の真上に位置させる。この状態から、雌型係合具（の底面部）を雄型係合具（の基板部）に接近させて押し付ける。この場合、雄型係合具及び雌型係合具に設けられた前後方向位置決め用の上方膨出部及び下方膨出部、左右方向位置決め用の凸部及び底面開口により、雄型係合具に対して雌型係合具が自動的に位置決めされる。
【００１４】
このため、雌型係合具の雄型係合具への接近押し付け時には、雄型係合具の茸形柱状片の雄型係止部（頭部）の上面に、雌型係合具の左芯片及び右芯片に設けられた雌型係止部（のハ字状面取り部）が接当して、それら左右の雌型係止部が圧縮コイルばねの付勢力に抗して互いに離間する方向に押し開かれて雄型係止部（頭部）を乗り越え、その後、前記圧縮コイルばねの付勢力により、雄型係止部（頭部）下方の胴部を挟圧するように互いに接近する方向に戻される。これにより、左右の雌型係止部の離隔距離が前記雄型係止部（の左右方向）の最大長より狭くなる。このため、雌型係合具を雄型係合具から引き上げて離脱させようとしても、前記左右の雌型係止部が前記雄型係止部に引っ掛かって係止される。これにより、雌型係合具が雄型係合具に係合連結される。
【００１５】
一方、前記係合連結状態から雌型係合具を雄型係合具から脱着するにあたっては、前記左芯片及び右芯片の押圧操作部を手指でつまんでケース体内方に押し込むように押圧する。これにより、左右の雌型係止部の離隔距離が前記雄型係止部（の左右方向）の最大長より広くなる。このため、前記左右の雌型係止部は前記雄型係止部に引っ掛かからず、雌型係合具を雄型係合具から引き上げて離脱させることができる。
【００１６】
このように本発明に係るブレスレット等の留め具は、係脱操作を片手のみでワンタッチで簡単容易に行うことができる。
【発明を実施するための最良の形態】
【００１７】
以下、本発明に係る留め具の実施の形態を図面を参照しつつ説明する。
図１は、本発明に係る留め具の一実施形態をブレスレットに適用した例を示す。
図示の留め具１０は、ブレスレット１の本体部分となるチェーン状装飾体で構成されている巻回体５の両端を連結するために用いられる。巻回体５は、十字形の短尺片５ａと両端部に凹部が設けられている長尺片５ｂとが交互にピン７（例えば、ばね内蔵伸縮ピン）で連結されて構成されている。
【００１８】
前記留め具１０は、前記巻回体５の一端部にピン６（例えば、ばね内蔵伸縮ピン）で取り付けられる雄型係合具２０と、前記巻回体５の他端部に前記ピン６で取り付けられる雌型係合具３０と、からなっている。雄型係合具２０は、図２、図３、図４、図９〜図１２に示される如くに、平面視概略長方形の基板部２１と、該基板部２１の上面中央部付近に垂設された、頭部に雄型係止部２５ａが設けられた茸形柱状片２５と、を有する。茸形柱状片２５は、頭部（雄型係止部２５ａ）が円錐台形状とされ、その下方の胴部２５ｂの左右に平行面取りが施されている。このため、雄型係止部の左右方向の最大長（下辺部）より胴部２５ｂの左右方向の長さ（厚み）が狭くなっている（図９〜図１２参照）。
【００１９】
一方、雌型係合具３０は、図２、図３、図５、図８及び図９に示される如くに、雄型係合具２０の基板部２１に対接せしめられ、左右の側面部及び底面部にそれぞれ長方形状の開口３１ａ、３１ｂ、３１ｃが形成されたケース体３１と、該ケース体３１内に配在されて手指で左右方向に押動操作される左芯片３５及び右芯片３６と、を有する。
【００２０】
前記左芯片３５及び右芯片３６は、前記した図に加えて図６（左芯片３５）及び図７（右芯片３６）を参照すればよくわかるように、それぞれ前記茸形柱状片２５の雄型係止部２５ａ（の左右方向突出部）に係止されるように前記ケース体３１の底面開口３１ｃに臨出せしめられた、相互に対接する平面視台形状の突起３５ｂ、３６ｂ付き雌型係止部３５Ｂ、３６Ｂ、及び、該雌型係止部３５Ｂ、３６Ｂに連設されてケース体３１の側面開口３１ａ、３１ｂから外部に臨出せしめられた平面視角丸矩形状の押圧操作部３５Ａ、３６Ａを有する。ここでは、雄型係合具２０と雌型係合具３０との係合連結時に、左芯片３５の押圧操作部３５Ａは茸形柱状片２５の左側に配在されるが、左芯片３５の雌型係止部３５Ｂは茸形柱状片２５の右側に配在され、右芯片３６の押圧操作部３６Ａは茸形柱状片２５の右側に配在されるが、右芯片３６の雌型係止部３６Ｂは茸形柱状片２５の左側に配在されるようになっている。
【００２１】
より詳細には、左芯片３５及び右芯片３６の押圧操作部３５Ａ、に茸形柱状片２５の雄型係止部２５ａ下方の胴部２５ｂを挟圧し得るようにそれぞれＬ形片部３７、３８が連設され、左芯片３５におけるＬ形片部３７の底辺部３７Ｂに前記雄型係止部２５ａの右側部分に係止される雌型係止部３５Ｂが形成され、右芯片３６におけるＬ形片部３８の底辺部３８Ｂに前記雄型係止部２５ａの左側部分に係止される雌型係止部３６Ｂが形成されている。なお、前記ケース体３１内では、図７（Ｂ）において左芯片３５が仮想線で示される如くに、左芯片３５のＬ形片部３７の縦辺部３７Ａの下側に右芯片３６のＬ形片部３８の縦辺部３８Ａが摺動自在に配在されている。
【００２２】
そして、左芯片３５の雌型係止部３５Ｂ（ばね受け穴３５ｄ）と右芯片３６の押圧操作部３６Ａ（ばね受け穴３６ｃ）との間、及び、右芯片３６の雌型係止部３６Ｂ（ばね受け穴３６ｄ）と左芯片３５の押圧操作部３５Ａ（ばね受け穴３５ｃ）との間、にそれぞれ両者を左右方向に付勢する圧縮コイルばね４０、４０が介装されている。また、左芯片３５及び右芯片３６における雌型係止部３５Ｂ及び３６Ｂの下面側に、雄型係止部２５ａの上面によって左右方向に押し開かれやすくなるように、ハ字状に面取り３５ｆ、３６ｆ（図９〜図１２参照）が施されている。
【００２３】
一方、前記ケース体３１は、下面開口のケース部３２と該ケース部３２の下面にろう付け等により接合された底面部３３とからなっており、底面部３３の開口３１ｃの基端側には、ケース部３２内側に折り曲げられて立ち上がる抜け止め片部３３ａが形成されている。この抜け止め片部３３ａは、左芯片３５のＬ形片部３７（の雌型係止部３５Ｂ）と右芯片３６のＬ形辺部３８（の雌型係止部３６Ｂ）とに対接するようにそれらの間に位置せしめられている。
【００２４】
また、雄型係合具２０の基板部２１の基端側に、雌型係合具３０のケース体３１の先端部が対接せしめられる前後方向位置決め用の上方膨出部２４が突設され、ケース体３１の基端側に、基板部２１の先端部が対接せしめられる前後方向位置決め用の下方膨出部３４が突設されている。
【００２５】
また、雄型係合具２０の基板部２１には、前記上方突出部２４に連なって、雌型係合具３０のケース体３１に形成されている底面開口３１ｃに嵌入される左右方向位置決め用の凸部２８が突設されている。該凸部２８は横断面が矩形とされ、その上面部には、前記底面開口３１ｃに嵌入しやすくするための面取り２８ａが施されている。
【００２６】
なお、前記雄型係合具２０及び雌型係合具３０の主要部材（圧縮コイルばね４０、４０
以外）は、材料としてＴｉ（チタン）あるいはＴｉ合金が使用されている。
【００２７】
このような構成とされた本実施形態の留め具１０においては、雄型係合具２０と雌型係合具３０とを係合連結する際には、ブレスレット１の巻回体５（本体部分）を片方の手の手首部分に回し掛ける。この際、他方の手の指で雌型係合具３０の左芯片３５及び右芯片３６の押圧操作部３５Ａ、３６Ａをつまみ、雄型係合具２０を手首側（下側）に位置させ、雌型係合具３０を雄型係合具２０の真上に位置させる。この状態から、雌型係合具３０（の底面部３３）を雄型係合具２０（の基板部２１）に接近させて押し付ける。この場合、雄型係合具２０及び雌型係合具３０に設けられた前後方向位置決め用の上方膨出部２４及び下方膨出部３４、左右方向位置決め用の凸部２８及び底面開口３１ｃにより、雄型係合具２０に対して雌型係合具３０が自動的に位置決めされる。
【００２８】
このため、雌型係合具３０の雄型係合具２０への接近押し付け時には、図９に示される如くに、雄型係合具２０の茸形柱状片２５の雄型係止部２５ａ（頭部）の上面に、雌型係合具３０の左芯片３５及び右芯片３６に設けられた雌型係止部３５Ｂ、３６Ｂ（のハ字状面取り部３５ｆ、３６ｆ）が接当して、それら左右の雌型係止部３５Ｂ、３６Ｂが圧縮コイルばね４０、４０の付勢力に抗して互いに離間する方向に押し開かれて雄型係止部２５ａ（頭部）を乗り越え、その後、図１０に示される如くに、前記圧縮コイルばね４０、４０の付勢力により、雄型係止部２５ａ（頭部）下方の胴部２５ｂを挟圧するように互いに接近する方向に戻される。これにより、左右の雌型係止部３５Ｂ、３６Ｂの離隔距離が前記雄型係止部２５ａ（の左右方向）の最大長より狭くなる。このため、雌型係合具３０を雄型係合具２０から引き上げて離脱させようとしても、前記左右の雌型係止部３５Ｂ、３６Ｂが前記雄型係止部２５ａに引っ掛かって係止される。これにより、雌型係合具３０が雄型係合具２０に係合連結される。
【００２９】
一方、前記係合連結状態から雌型係合具３０を雄型係合具２０から脱着するにあたっては、前記左芯片３５及び右芯片３６の押圧操作部３５Ａ、３６Ａを手指でつまんでケース体内方に押し込むように押圧する。これにより、図１１に示される如くに、左右の雌型係止部３５Ｂ、３６Ｂの離隔距離が前記雄型係止部２５ａ（の左右方向）の最大長より広くなる。このため、図１２に示される如くに、前記左右の雌型係止部３５Ｂ、３６Ｂは前記雄型係止部２５ａに引っ掛かからず、雌型係合具３０を雄型係合具２０から引き上げて離脱させることができる。
【００３０】
このように本実施形態の留め具１０は、係脱操作を片手のみでワンタッチで簡単容易に行うことができる。
【図面の簡単な説明】
【００３１】
【図１】本発明に係る留め具の一実施形態をブレスレットに適用した例を示し、（Ａ）は留め具の雄型係合具と雌型係合具とを脱着離間させた状態を示す側面図、（Ｂ）は雄型係合具と雌型係合具とを係合連結させた状態を示す側面図、（Ｃ）は（Ｂ）の係合連結状態を示す平面図。
【図２】図１に示される留め具の雄型係合具と雌型係合具とを脱着離間させた状態を拡大して示す側面図。
【図３】図１に示される留め具の雄型係合具と雌型係合具とを係合連結させた状態を拡大して示す側面図。
【図４】図２に示される雄型係合具の平面図。
【図５】図２に示される雌型係合具の底面図。
【図６】図２に示される雌型係合具の左芯片の三面図。
【図７】図２に示される雌型係合具の右芯片の三面図。
【図８】留め具の雄型係合具と雌型係合具とを係合連結させた状態を示す部分切欠平面図。
【図９】留め具の雄型係合具と雌型係合具とを係合連結させる際の動作説明に供される断面図。
【図１０】留め具の雄型係合具と雌型係合具とが係合連結した状態を示す断面図。
【図１１】留め具の雄型係合具と雌型係合具とを脱着離間させる際の動作説明に供される断面図。
【図１２】留め具の雄型係合具と雌型係合具とが脱着離間した状態を示す断面図。
【符号の説明】
【００３２】
１    ・・・ブレスレット
５    ・・・巻回体
１０  ・・・留め具
２０  ・・・雄型係合具
２１  ・・・基板部
２４  ・・・上方膨出部
２５  ・・・茸形柱状片
２５ａ・・・雄型係止部
２５ｂ・・・胴部
２８  ・・・凸部
３０  ・・・雌型係合具
３１  ・・・ケース体
３１ａ、３１ｂ・・・側面開口
３１ｃ・・・底面開口
３２  ・・・ケース部
３３  ・・・底面部
３３ａ・・・抜け止め片部
３４  ・・・下方膨出部
３５  ・・・左芯片
３５Ａ・・・押圧操作部
３５Ｂ・・・雌型係止部
３６  ・・・右芯片
３６Ａ・・・押圧操作部
３６Ｂ・・・雌型係止部
３７、３８・・・Ｌ形片部
４０  ・・・圧縮コイルばね
【図１】
2007075272.tif 000003
【図２】
2007075272.tif 000004
【図３】
2007075272.tif 000005
【図４】
2007075272.tif 000006
【図５】
2007075272.tif 000007
【図６】
2007075272.tif 000008
【図７】
2007075272.tif 000009
【図８】
2007075272.tif 000010
【図９】
2007075272.tif 000011
【図１０】
2007075272.tif 000012
【図１１】
2007075272.tif 000013
【図１２】
2007075272.tif 000014